(57)【要約】      （修正有）【課題】コストアップとならずに空気調和機を遠隔制御する赤外線リモコンの位置を特定できる空気調和機を提供する。【解決手段】赤外線信号の受光部１０や上下風向板６及び／あるいは左右風向板７といった、予め室内機１に備えられた構成のみで、赤外線リモコンの位置を判定するので、位置検出のために新たに部品を追加する必要がなく、空気調和機のコストアップを防ぐことができる。また、赤外線信号の受光部１０を室内機１の吹出口５の奥に配置しているので、インバータ蛍光灯等が発するノイズが受光部１０に入射しにくくなる。従って、受光部１０に赤外光透過フィルタを設ける必要がなくなり、室内機１の筐体前面に受光部を設ける場合に比べて、より安価に空気調和機を提供することができる。【選択図】図１
2011137579.tif 000002
【特許請求の範囲】
【請求項１】
赤外線リモコンと、同赤外線リモコンから送信された赤外線信号を受光する受光部と、上下風向板及び／又は左右風向板を設けた吹出口とを備えた室内機と、を有する空気調和機であって、
前記受光部は、前記室内機の奥行き方向に対して前記上下風向板及び／又は前記左右風向板の後方に配置されており、
前記赤外線リモコンは、同赤外線リモコンが操作された際の、前記室内機が設置される室内での位置を前記室内機に判定させるための赤外線信号を送信し、
前記赤外線信号を受光した前記室内機は、前記上下風向板及び/又は左右風向板を回動させて、前記受光部での前記赤外線信号の受光レベルが最大となる前記上下風向板及び／又は左右風向板の方向に前記赤外線リモコンが存在すると特定し、特定した同赤外線リモコンの存在する位置に応じた空調制御を自動で行うことを特徴とする空気調和機。
【請求項２】
赤外線リモコンと、同赤外線リモコンから送信された赤外線信号を受光する第１及び第２の受光部と、上下風向板及び／又は左右風向板を設けた吹出口とを備えた室内機と、を有する空気調和機であって、
前記第２の受光部は、前記室内機の奥行き方向に対して前記上下風向板及び／又は前記左右風向板の後方に配置されており、
前記赤外線リモコンは、同赤外線リモコンが操作された際の、前記室内機が設置される室内での位置を前記室内機に判定させるための赤外線信号を送信し、
前記赤外線信号を前記第１の受光部で受光した室内機は、前記上下風向板及び／又は左右風向板を回動させて、前記第２の受光部での前記赤外線信号の受光レベルが最大となる前記上下風向板及び／又は左右風向板の方向に前記赤外線リモコンが存在すると特定し、特定した同赤外線リモコンの存在する位置に応じた空調制御を自動で行うことを特徴とする空気調和機。
【発明の詳細な説明】
【技術分野】
【０００１】
本発明は、空気調和機に係わり、特に、室内機を遠隔制御する赤外線リモコンの位置を室内機で判定し、その赤外線リモコンの位置に応じた空調制御を自動で行うことができる空気調和機に関する。
【背景技術】
【０００２】
従来、空気調和機には、室内機を遠隔制御するための赤外線リモコンが備えられており、室内機には、赤外線リモコンから送信される赤外線信号を受光するための受光部が設けられている。この受光部は、フォトトランジスタ等の受光素子、インバータ蛍光灯等が発するノイズを遮断するための赤外光透過フィルタ、受光した信号を増幅するためのアンプ、等で構成されており、通常、室内機の前面パネル等の筐体前面に１個設けられている。
【０００３】
使用者が赤外線リモコンの操作ボタンを押下すると、押下された操作ボタンに対応した赤外線信号が赤外線リモコンから送信される。室内機は受光部でこの赤外線信号を受光し、この赤外線信号に応じた空調制御を行う。
しかし、上述した空気調和機では、室内機に受光部が１個しか設けられておらず、又、赤外線信号の受光レベルの検出も行っていないため、赤外線信号をどの方向から受光したのかを特定することができず、赤外線リモコンの位置（＝使用者の位置）を判定することができなかった。従って、使用者の存在する方向へ風が届くよう室内機の風向板動作を制御する、風量を増減する、等といった使用者の存在位置に応じた空調制御を自動で行うことができなかった。
【０００４】
そこで、複数の受光素子を角度を異ならせて設けた受光部を室内機に備え、複数の受光素子での赤外線信号の受光強度を比較して赤外線リモコンの位置を特定する空気調和機（例えば、特許文献１）や、室内機に１個の受光部と、赤外線信号を反射する反射部と、反射部を回転駆動する駆動部とを設け、受光部での赤外線信号の受光レベルが最も高くなる時の回転角度で赤外線リモコンの位置を特定する空気調和機（例えば、特許文献２）が提案されている。
【０００５】
特許文献１に記載されているのは、２種類の赤外線信号（制御信号及び位置特定信号）を送信する赤外線リモコンと、位置特定信号を受光する第１の受光部及び制御信号を受光する第２の受光部を筐体前面に備えた室内機、とを有する空気調和機であり、位置特定信号を受光する第１の受光部には、３個の受光素子が設けられている。
【０００６】
３個の受光素子は、各々角度を異ならせて配置されており、室内機は赤外線リモコンから送信された位置特定信号を第２の受光部で受光すると、赤外線リモコンから位置特定信号に引き続いて送信される位置特定用の赤外線信号を、第１の受光部の３個の受光素子で受光し、その受光強度を比較して最も受光レベルが高い受光素子の角度で位置特定用の赤外線信号の発信方向を特定して赤外線リモコンの位置、つまりは使用者の存在位置を判定する。
【０００７】
一方、特許文献２に記載されているのは、２種類の赤外線信号（制御信号及び位置特定信号）を送信する赤外線リモコン及び、制御信号を受光する受光部と、赤外線信号を反射する反射部と、反射部を回転駆動する駆動部、とを備えた室内機を有する空気調和機であり、反射部は駆動部により回転して受光部に赤外線信号を入射させるよう、受光部近傍に配置されている。
【０００８】
室内機が位置特定信号を受光部で受光すると、室内機はサンプリングタイムを発生させ、これに同期して駆動部により反射部を回転させる。そして、赤外線リモコンから位置特定信号に引き続いて送信される位置特定用の赤外線信号を反射部で反射して受光部に入射し、赤外線信号の受光レベルをサンプリングタイム毎に記憶してそのレベルを比較することで、受光レベルが最も高い時の反射部の角度が示す方向に赤外線リモコンが存在すると特定する。
【０００９】
以上説明したように、特許文献１や特許文献２に記載されている構成で赤外線リモコンの位置、つまりは使用者の存在位置を特定することができる。そして、使用者の存在する方向へ上下／左右風向板を動かす、風量を増減して使用者に風が届くようにする、等といった使用者の存在位置に応じた空調制御を自動で行うことができる。
【００１０】
しかし、以上説明した特許文献１では、制御信号を受光する第２の受光部とは別に受光素子を３個備えた第１の受光部を設ける必要があり、また、特許文献２では、受光部に赤外線信号を反射して入射させるための反射部と、反射部を回転駆動する駆動部とを設ける必要がある。従って、これらの部品費用が発生し、空気調和機のコストアップを招くという問題があった。
【００１１】
また、特許文献１、２共に、受光部は室内機筐体の前面に配置されており、特許文献１では複数の受光素子が、特許文献２では反射部が設けられていることによって、インバータ蛍光灯等が発するノイズの影響を受けやすくなっており、ノイズによる誤動作が発生する虞がある。これを防ぐためには、受光部に赤外光透過フィルタを設けてノイズを遮断する必要があるが、赤外光透過フィルタの部品費用が発生し、空気調和機のコストアップを招くという問題があった。
【先行技術文献】
【特許文献】
【００１２】
【特許文献１】特開昭６２−１３１１５５号公報（第２〜３頁、第３図、第４図）
【特許文献２】特許第２５０６９１３号公報（第２〜３頁、第１図、第３図）
【発明の概要】
【発明が解決しようとする課題】
【００１３】
本発明は以上述べた問題点を解決し、コストアップとならずに空気調和機を遠隔制御する赤外線リモコンの位置を特定し、赤外線リモコンの位置に応じた空調制御を自動で行える空気調和機を提供することを目的とする。
【課題を解決するための手段】
【００１４】
本発明は上述の課題を解決するものであって、本発明の空気調和機は、赤外線リモコンと、赤外線リモコンから送信された赤外線信号を受光する受光部と、上下及び／又は左右風向板を備えた吹出口とを有する室内機と、を備えており、受光部は、室内機の奥行き方向に対して上下及び／又は左右風向板より奥に配置され、赤外線リモコンは、自己の位置を室内機に特定させるための赤外線信号を送信するものである。
【００１５】
そして、室内機は、赤外線リモコンから送信される赤外線信号を受光すると、上下及び／又は左右風向板を回動し、赤外線信号の受光レベルを、上下及び／又は左右風向板の位置（角度）毎に記憶し、記憶した受光レベルが最も高い時の上下及び／又は左右風向板の方向に赤外線リモコンが存在すると特定し、赤外線リモコンの存在する位置に応じた空調制御を自動で行うものである。
【発明の効果】
【００１６】
本発明の空気調和機は、室内機が上下及び／又は左右風向板を回動させて受光部での受光レベルが最も高い時の上下及び／又は左右風向板の方向に赤外線リモコンが存在すると特定しているので、室内機が赤外線リモコンを操作している使用者の存在位置を特定し、使用者の存在位置に応じた空調制御を自動で行うことができる。
【００１７】
また、赤外線信号の受光部や上下及び／又は左右風向板といった、予め室内機に備えられた構成のみで赤外線リモコンの位置を特定するので、赤外線リモコンの位置検出のために新たに部品を追加する必要がなく、空気調和機のコストアップを防ぐことができる。さらには、赤外線信号の受光部を室内機の吹出口奥に配置しているので、インバータ蛍光灯等が発するノイズが受光部に入射しにくくなる。従って、受光部に赤外光透過フィルタを設ける必要がなくなり、室内機の筐体前面に受光部を設ける場合に比べて、より安価に空気調和機を提供することができる。
【図面の簡単な説明】
【００１８】
【図１】本発明の実施例である空気調和機の室内機説明図であり、（Ａ）は室内機正面図、（Ｂ）は（Ａ）におけるＣ−Ｃ断面図である。
【図２】本発明の実施例である空気調和機の要部構成ブロック図である。
【図３】本発明の実施例における、赤外線リモコンの外観斜視図である。
【図４】本発明の実施例における、室内機が設置された室内の赤外線リモコン位置の説明図である。
【図５】本発明の実施例における、赤外線リモコン位置の判定を説明する図であり、（Ａ）は室内機との遠近を判定する際の説明図、（Ｂ）は室内機に対する左右中央の位置を判定する際の説明図である。
【図６】本発明の実施例における、受光部での受光レベルを説明する図であり、（Ａ）は室内機との遠近を判定する際の受光レベル説明図、（Ｂ）は室内機に対する左右中央の位置を判定する際の受光レベル説明図である。
【図７】本発明の実施例における、室内機制御部での処理を説明するフローチャートである。
【発明を実施するための形態】
【００１９】
以下、本発明の実施の形態を、添付図面に基づいて詳細に説明する。尚、実施例としては、室外機と、上下及び左右風向板を備えた吹出口を有する室内機と、室内機を遠隔操作する赤外線リモコンからなる空気調和機を例に挙げて説明する。尚、本発明は以下の実施形態に限定されることはなく、本発明の主旨を逸脱しない範囲で種々変形することができる。
【実施例１】
【００２０】
図１は、本発明の実施例である空気調和機の室内機説明図である。図１（Ａ）に示すように、室内機１は横長の箱体であり、前面にグリル３を備えた前面カバー２が配置されている。また、下方に備えられた吹出口５には、２枚の上下風向板６や６枚の左右風向板７が配置されている。上下風向板６や左右風向板７は、赤外光を一定量透過する材質、例えば、ポリスチレン樹脂やポリエチレン樹脂に所定量の酸化チタンを混ぜ込んだ材料で形成されている。
【００２１】
図１（Ｂ）に示すように、前面カバー２に覆われた室内機１の内部には、熱交換器２０及び送風ファン２１が設けられており、これらは室内の設置面（壁面）に固定されるベース４に支持されている。尚、前面カバー２やベース４は、共に樹脂材で形成されている。
【００２２】
前面カバー２と熱交換器２０の前面側との間には、前面カバー２から室内機１内部に吸い込んだ空気中に含まれる塵埃を除去するためのフィルタ２２が配置されている。フィルタ２２は、室内機１内を摺動し上部に配置されたゴミ取り手段２５でフィルタ２２に付着している塵埃が除去される。
【００２３】
前面カバー２の下端部と吹出口５との間には、熱交換器２０の前面側で生成された結露水を受け止める露受部２４が設けられている。また、ベース４の底部には、底部から設置面に向けて斜めに立設された仕切り板４ａがあり、この仕切り板４ａと設置面との間に形成された空間に、ドレンパイプ等の配管類２３が収納されている。
【００２４】
受光部１０は、赤外線信号を受光するための図示しないフォトトランジスタ等の受光素子や、受光した信号を増幅するための図示しないアンプ等で構成されており、図１（Ａ）に示すように、吹出口５の上下／左右方向に対しては略中央部に、また、図１（Ｂ）に示すように、室内機１の奥行き方向に対しては、左右風向板６の奥に所定の角度でベース４に設置されて、室内機１が設置される室内のどの場所からも受光部１０が見えるような配置とされている。
尚、図示は省略するが、室内機１内部には以上説明した構成の他に、送風ファン２１の支持部や各種モータ類、及び制御基板や電源基板等を格納した電装品箱が設けられている。
【００２５】
図２は、本発明による空気調和機の構成を示す要部ブロック図である。室内機１は、上述した受光部１０と、室内の温度を検出する温度センサ１６と、室内の湿度を検出する湿度センサ１７と、これら温度センサ１６や湿度センサ１７の検出信号を入力するセンサ入力部１５と、室外機３０との通信を行なう通信部１３と、上下風向板６の角度調整を行なう上下風向板ステップモータ２６と、左右風向板７の角度調整を行なう左右風向板ステップモータ２７と、送風ファン２１を回転させるための送風ファンモータ２８と、室内機１の現在の設定情報等を記憶する記憶部１２と、ＬＥＤ等で構成され、室内機１の電源入／切の状態やフィルタ掃除のタイミングを使用者に知らせる等の表示を行なう表示部１４と、これらを制御する制御部１１とを備えている。
【００２６】
制御部１１は、温度センサ１６や湿度センサ１７で検出されセンサ入力部１５を介して入力された室内温度や湿度に応じて、上下風向板６及び左右風向板７の角度調整や、風量調整等の様々な空調機能に関する制御を行う。また、制御部１１は、通信部１３を介して室外機３０と空調制御に必要な信号の通信を行なう。
【００２７】
図３は、本発明による空気調和機の室内機１を遠隔操作する赤外線リモコンの外観斜視図である。この赤外線リモコン４０は、上部筐体４１と、下部筐体４２と、送信部４３と、操作ボタン４４と、表示部４５と、を備えている。上部筐体４１及び下部筐体４２は、それぞれ樹脂材で形成されており、互いに嵌合して略直方体形状の箱体となるような形状とされている。
【００２８】
送信部４３は、赤外線リモコン４０の長手方向の一端に備えられており、赤外線発光ダイオード等から構成されている。操作ボタン４４は、上部筐体４１に配置されており、樹脂材で形成されている。この操作ボタン４４は、室内機１をオン／オフするための電源スイッチや室温設定ボタン、風量設定ボタン、上下風向板６及び左右風向板７の調整等、室内機１を操作・制御するためのボタンで構成されている。
【００２９】
表示部４５は、液晶パネル等からなり、赤外線リモコン４０の設定温度や風量等の様々な情報を表示する。尚、この表示部４５も操作ボタン４４と同様に上部筐体４１に配置されている。
赤外線リモコン４０の使用者が、操作ボタン４４を操作すると、赤外線リモコン４０は、当該操作ボタン４４に対応する制御コードを図示しない記憶部より読み出し、この制御コードから送信コードを生成する。そして、送信コードに対応する赤外線信号を生成して送信部４３から室内機１に送信すると共に、操作内容を表示部４５に表示する。
【００３０】
次に、図１乃至図６を用いて、本発明の空気調和機による赤外線リモコン４０の位置を判定する原理及び動作について説明する。図４に示すように、室内機１が設置された室内５０を、予めゾーンＡからゾーンＦまでの６つのゾーンに分割し、室内機１はこれらのゾーンのいずれかに赤外線リモコン４０が存在すると特定する。具体的には、室内５０を室内機１に近いゾーン（ゾーンＡ〜Ｃ）及び遠いゾーン（ゾーンＤ〜Ｆ）に、また、室内機１から見て右側のゾーン（ゾーンＢ及びＥ）、中央のゾーン（ゾーンＡ及びＤ）、左側のゾーン（ゾーンＣ及びＦ）に、それぞれ予め分割する。
【００３１】
室内機１の制御部１１は、上下風向板６及び左右風向板７の角度に応じて、これら６つのゾーン毎に赤外線リモコン４０の存在を検知する。具体的には、制御部１１は、上下風向板用ステップモータ２６の駆動パルス数（ステップ）及び、左右風向板ステップモータ２７の駆動パルス数（ステップ）をカウントすることによって上下風向板６及び左右風向板７の角度を判定する、つまりは、カウントしたステップに応じて上下風向板６及び左右風向板７が室内５０のどのゾーンに向いているかを判定している。
【００３２】
例えば、上下風向板６は、全閉位置から全開位置までが１〜２４ステップで動作するのであれば、半分の１２ステップを境に、１〜１２ステップの場合が室内機１に近いゾーン（ゾーンＡ〜Ｃ）、１３〜２４ステップの場合は室内機１に遠いゾーン（ゾーンＤ〜Ｆ）を向いていると判定する。また、左右風向板７は、最右位置から最左位置までが１〜２４ステップで動作するのであれば、制御部１１は、このステップを３分割し、１〜８ステップの場合が室内機１から見て右側のゾーン（ゾーンＢ及びＥ）、９〜１６ステップの場合が中央のゾーン（ゾーンＡ及びＤ）、１７〜２４ステップの場合が室内機１から見て左側のゾーン（ゾーンＣ及びＦ）を向いていると判定する。
【００３３】
使用者が赤外線リモコン４０の特定の操作ボタン４４を操作して、赤外線リモコン４０の位置を室内機１に特定させるための位置検出信号を送信し、これに引き続いて位置検出用の赤外線信号を所定時間（例えば１０秒間）送信する。図２に示すように、位置検出信号は受光部１０で受光されて制御部１１に入力される。位置検出信号を入力した制御部１１は、上下風向板６及び左右風向板７を初期位置、例えば、上下風向板６を全閉位置、左右風向板７を最右位置となるよう、上下風向板用ステップモータ２６及び左右風向板ステップモータ２７を制御する。尚、受光部１０で位置検出信号を受光する際に、上下風向板６や左右風向板７が受光部１０を遮っている場合が考えられるが、上述したように、上下風向板６や左右風向板７を形成する材料は一定量の赤外光を透過するので、受光部１０で位置検出信号を問題なく受光できる。
【００３４】
位置検出信号に引き続いて赤外線リモコン４０から送信される位置検出用の赤外線信号は、上述したように所定の時間送信され続ける。この間に、室内機１の制御部１１は、上下風向板６及び左右風向板７を初期位置から１ステップずつ移動させ、各ステップにおける受光部１０での位置検出用の赤外線信号の受光レベルを検出し、この受光レベルを各ステップ毎に対応させて記憶部１２に記憶する。尚、受光部１０での受光レベルは、図２に示すように、受光部１０のＡＧＣ（オートゲインコントロール）信号が制御部１１のＡ／Ｄ端子に入力され、受光レベル値に変換される。
【００３５】
次に、赤外線リモコン４０の位置判定の際の室内機１の具体的な動作を説明する。図５（Ａ）に示すように、制御部１１は、まず上下風向板用ステップモータ２６を制御して上下風向板６を初期位置である全閉位置から全開位置へ１ステップずつ移動させる。赤外線リモコン４０が室内機１の近くに位置する場合は、上下風向板６が下方、すなわち上下風向板用ステップモータ２６の駆動パルスで１〜１２ステップの間で、図６（Ａ）に示すように、受光部１０での位置検出用の赤外線信号の受光レベルが最大となるので、制御部１１は、赤外線リモコン４０が室内機１の近くに存在する（ゾーンＡ〜Ｃのいずれか）と判定する。
【００３６】
また、赤外線リモコン４０が室内機１の遠くに位置する場合には、上下風向板６が上方、すなわち上下風向板用ステップモータ２６の駆動パルスで１３〜２４ステップの間で、受光部１０での位置検出用の赤外線信号の受光レベルが最大となるので、制御部１１は、赤外線リモコン４０が室内機１の遠くに存在する（ゾーンＤ〜Ｆのいずれか）と判定する。
【００３７】
次に、図５（Ｂ）に示すように、制御部１１は、左右風向板ステップモータ２７を制御して左右風向板７を初期位置である最右位置から最左位置へ１ステップずつ移動させる。赤外線リモコン４０が室内機１の右側に位置する場合には、左右風向板７が右方向、すなわち左右風向板用ステップモータ２７の駆動パルスで１〜８ステップの間で、受光部１０での位置検出用の赤外線信号の受光レベルが最大となるので、制御部１１は、赤外線リモコン４０が室内機１の右側に存在する（ゾーンＢもしくはＥ）と判定する。
【００３８】
赤外線リモコン４０が室内機１の前方（室内５０の中央）に位置する場合には、左右風向板７が中央、すなわち左右風向板用ステップモータ２７の駆動パルスで９〜１６ステップの間で、図６（Ｂ）に示すように、受光部１０での位置検出用の赤外線信号の受光レベルが最大となるので、制御部１１は、赤外線リモコン４０が室内機１の前方（室内５０の中央）に存在する（ゾーンＡもしくはＤ）と判定する。また、赤外線リモコン４０が室内機１の左側に位置する場合には、左右風向板７が左方向、すなわち左右風向板用ステップモータ２７の駆動パルスで１７〜２４ステップの間で、受光部１０での位置検出用の赤外線信号の受光レベルが最大となるので、制御部１１は、赤外線リモコン４０が室内機１の左側に存在する（ゾーンＣもしくはＦ）と判定する。
【００３９】
以上の動作で判定した赤外線リモコン４０の室内機１に対する遠近や左右位置より、制御部１１は、室内５０における赤外線リモコン４０の存在位置を特定する。例えば、図６（Ａ）及び図６（Ｂ）に示すデータにより、制御部１１は、ゾーンＡ〜ＣとゾーンＡもしくはＤとの共通ゾーンであるゾーンＡに赤外線リモコン４０が存在すると特定する。そして、制御部１１は、ゾーンＡに存在する赤外線リモコン４０つまりは使用者に風が届くよう、上下風向板ステップモータ２６や左右風向板ステップモータ２７を制御して上下風向板６や左右風向板７の向きをゾーンＡに向ける、というように、制御部１１は使用者の存在位置に応じた空調制御を自動で行う。
【００４０】
以上説明した実施例では、受光部１０は室内機１に１個備えられ、受光部１０で通常の空調制御信号及び位置検出信号を受光する場合について説明したが、通常の空調制御信号及び位置検出信号を受光する第１の受光部を別途前面カバー２に設けて、第１の受光部で位置検出信号を受光した際に、吹出口５の奥に設けた本発明による第２の受光部で赤外線リモコンの位置検出を行なうようにしてもよい。尚、この場合、上下風向板６及び左右風向板７を形成する材料は、赤外線を通さない材質であってもよい。
【００４１】
また、吹出口５には、上下風向板６と左右風向板７とを備えた場合について説明したが、例えば、吹出口には左右風向板のみが備えられ、室内機が設置された室内を左右風向板の動作のみで３分割して赤外線リモコンの位置を判定するようにしてもよい。また、上下風向板６を２枚、左右風向板７を６枚備えて、室内５０を６ゾーンに分割して赤外線リモコンの位置を判定する場合について説明したが、上下風向板や左右風向板の枚数、室内の広さに応じてゾーンの分割数を変えてもよい。また、赤外線リモコン４０より位置検出信号を送信するのに続いて、位置検出用の赤外線信号を所定の時間送信する場合について説明したが、これを一つの信号として所定時間送信するようにしてもよい。
【００４２】
次に、図７に示す制御部１１での処理を表すフローチャートを用いて、受光部１０と上下風向板６及び左右風向板７とを使用して、赤外線リモコン４０の位置を特定する流れについて説明する。尚、図７においてＳＴはステップを表し、これに続く数字はステップ番号を表している。
【００４３】
まず、制御部１１は、受光部１０で赤外線信号を受光したか否かを判断する（ＳＴ１）。赤外線信号を受光していなければ（ＳＴ１−Ｎｏ）、ＳＴ１に戻り、赤外線信号を受光していれば（ＳＴ１−Ｙｅｓ）、制御部１１は、受光した赤外線信号が位置検出信号であるか否かを判断する（ＳＴ２）。
【００４４】
受光した赤外線信号が位置検出信号であれば（ＳＴ２−Ｙｅｓ）、制御部１１は、上下風向板６を全閉位置へ、左右風向板７を最右位置へ移動する（ＳＴ３）。次に、制御部１１は、上下風向板６及び左右風向板７の移動が完了したか否かを判断し（ＳＴ４）、移動が完了していなければ（ＳＴ４−Ｎｏ）、ＳＴ４に戻り、移動が完了していれば（ＳＴ４−Ｙｅｓ）、制御部１１は、上下風向板６を全閉方向から全開方向へ１ステップずつ移動させ、受光部１０での位置検出用の赤外線信号の受光レベルをステップ毎に記憶部１２に記憶する。そして、受光レベルが最も高くなる上下風向板用ステップモータ２６の駆動パルスのステップ数を抽出する（ＳＴ５）。
【００４５】
次に、制御部１１は、左右風向板７を最右方向から最左方向へ１ステップずつ移動させ、受光部１０での位置検出用の赤外線信号の受光レベルをステップ毎に記憶部１２に記憶する。そして、受光レベルが最も高くなる左右風向板用ステップモータ２７の駆動パルスのステップ数を抽出する（ＳＴ６）。次に、制御部１１は、抽出した上下風向板用ステップモータ２６及び左右風向板用ステップモータ２７の駆動パルスのステップ数とから、図４に示すＡ〜Ｆのどのゾーンに赤外線リモコン４０が存在するかを特定する（ＳＴ７）。そして、制御部１１は、判定した赤外線リモコン４０の位置に応じた空調制御を自動で行い（ＳＴ８）、ＳＴ１にジャンプする。
【００４６】
尚、ＳＴ２で受光した赤外線信号が位置検出信号でなければ(ＳＴ２−Ｎｏ)、制御部１１は受光した赤外線信号が空調制御信号であると判断し、この空調制御信号に対応した空調制御を行い（ＳＴ９）、ＳＴ１にジャンプする。また、ＳＴ５で抽出した受光レベルが最も高くなる上下風向板用ステップモータ２６の駆動パルスのステップ数に応じた位置に上下風向板６を回動させて、受光部１０での受光感度を上げてからＳＴ６の処理に進んでもよい。
【００４７】
以上説明した通り、本発明によれば、室内機が上下及び／又は左右風向板を回動させて受光部での受光レベルが最も高い時の上下及び／又は左右風向板の方向に赤外線リモコンが存在すると特定しているので、室内機が赤外線リモコンを操作している使用者の存在位置を特定し、使用者の存在位置に応じた空調制御を自動で行うことができる。
【００４８】
また、赤外線信号の受光部や上下及び／又は左右風向板といった、予め室内機に備えられた構成のみで赤外線リモコンの位置を判定するので、赤外線リモコンの位置検出のために新たに部品を追加する必要がなく、空気調和機のコストアップを防ぐことができる。さらには、赤外線信号の受光部を室内機の吹出口奥に配置しているので、インバータ蛍光灯等が発するノイズが受光部に入射しにくくなる。従って、受光部に赤外光透過フィルタを設ける必要がなくなり、室内機の筐体前面に受光部を設ける場合に比べて、より安価に空気調和機を提供することができる。
【符号の説明】
【００４９】
１  室内機
２  前面カバー
５  吹出口
６  上下風向板
７  左右風向板
１０  受光部
１１  制御部
１２  記憶部
２６  上下風向板用ステップモータ
２７  左右風向板用ステップモータ
３０  室外機
４０  赤外線リモコン
４３  送信部
４４  操作ボタン
５０  室内
【図１】
2011137579.tif 000003
【図２】
2011137579.tif 000004
【図３】
2011137579.tif 000005
【図４】
2011137579.tif 000006
【図５】
2011137579.tif 000007
【図６】
2011137579.tif 000008
【図７】
2011137579.tif 000009